(57)【要約】      （修正有）【課題】赤外線反射量に基づいて自動的に音声をオンまたはオフにすることができる、赤外線ヘッドフォン装置を提供する。【解決手段】スピーカーシェル１２、スピーカー単体１３、赤外線近接センサーモジュール１４、イヤーパッド１１を含み、スピーカーシェルが、第１エリア１２１１及び第１エリアの周縁に位置する第２エリア１２１２を含む本体１２１と、第１エリアに配置され、その内側面が第２エリアの表面より低い凹陥部１２２と、凹陥部の内側面に配置された溝部１２５を含み、スピーカー単体が溝部に接して第１エリアに配置され、制御ユニットを備えた赤外線近接センサーモジュールが溝部に配置され、かつスピーカー単体に接続され、イヤーパッドがスピーカーシェルに組み込まれ、赤外線近接センサーモジュールと耳輪の間に反射距離が存在し、制御ユニットが反射距離に基づいて赤外線反射量を生成し、かつ赤外線反射量に基づきスピーカー単体のオンまたはオフを駆動する。【選択図】図４
0003196968.tif 000002
【実用新案登録請求の範囲】
【請求項１】
赤外線ヘッドフォン装置であって、使用者の耳に装着され、前記使用者の耳が耳輪を含み、前記赤外線ヘッドフォン装置が、スピーカーシェルと、スピーカー単体と、赤外線近接センサーモジュールと、イヤーパッドを含み、
前記スピーカーシェルが、
第１エリアと、前記第１エリアの周縁に位置する第２エリアを含む本体と、
前記第１エリアに配置され、その内側面が前記第２エリアの表面より低い凹陥部と、
前記凹陥部の内側面に配置された溝部を含み、
前記スピーカー単体が前記溝部に接して前記第１エリアに配置され、
前記赤外線近接センサーモジュールが制御ユニットを含み、前記溝部に配置され、かつ前記スピーカー単体に接続され、
前記イヤーパッドが前記スピーカーシェルに組み込まれ、
そのうち、前記赤外線近接センサーモジュールと前記耳輪の間に反射距離が存在し、前記制御ユニットが前記反射距離に基づいて赤外線反射量を生成し、かつ前記赤外線反射量に基づいて前記スピーカー単体のオンまたはオフを駆動することを特徴とする、赤外線ヘッドフォン装置。
【請求項２】
前記スピーカーシェルがさらに、
前記第１エリアに配置され、かつ前記凹陥部へと傾斜した組込み部と、
前記組込み部の周縁に配置された複数の出音孔を含み、
前記スピーカー単体が前記組込み部に配置されたことを特徴とする、請求項１に記載の赤外線ヘッドフォン装置。
【請求項３】
前記スピーカーシェルがさらに、前記凹陥部の表面に配置され、前記組込み部に接する第１凹陥溝と、前記凹陥部の他方の表面に配置された第２凹陥溝と、前記第１凹陥溝に配置されたＲＦ素子を含み、前記溝部が前記第１凹陥溝及び前記第２凹陥溝に貫通されることを特徴とする、請求項２に記載の赤外線ヘッドフォン装置。
【請求項４】
前記スピーカーシェルがさらに、前記第２エリアの表面周囲に凸設された外環部を含み、前記外環部が相対する第１側表面と第２側表面を含み、前記赤外線近接センサーモジュールから前記第１側表面までの距離が前記赤外線近接センサーモジュールから前記第２側表面までの距離より小さいことを特徴とする、請求項１に記載の赤外線ヘッドフォン装置。
【請求項５】
前記赤外線近接センサーモジュールから前記第１側表面までの距離と前記赤外線近接センサーモジュールから前記第２側表面までの距離比が１:３であることを特徴とする、請求項４に記載の赤外線ヘッドフォン装置。
【請求項６】
前記反射距離と前記赤外線反射量が反比例を成すことを特徴とする、請求項１に記載の赤外線ヘッドフォン装置。
【請求項７】
前記赤外線ヘッドフォン装置が前記使用者の耳に装着された状態から、前記使用者の耳に装着されていない状態までの過程において、前記反射距離が徐々に増加し、前記赤外線反射量が徐々に低下して、前記制御ユニットが前記赤外線反射量の低下に伴い、前記スピーカー単体の音声を徐々に低下させ、前記スピーカー単体をオフにすることを特徴とする、請求項１に記載の赤外線ヘッドフォン装置。
【請求項８】
前記赤外線ヘッドフォン装置が前記使用者の耳に装着されていない状態から、前記使用者の耳に装着されるまでの過程において、前記反射距離が徐々に減少し、前記赤外線反射量が徐々に上昇して、前記制御ユニットが前記赤外線反射量の上昇に伴い、前記スピーカー単体の音声を徐々に上昇させることを特徴とする、請求項１に記載の赤外線ヘッドフォン装置。
【請求項９】
前記制御ユニットに接続された発光モジュールを含み、前記制御ユニットが前記赤外線反射量に基づいて前記発光モジュールのオンまたはオフを駆動することを特徴とする、請求項１に記載の赤外線ヘッドフォン装置。
【請求項１０】
前記制御ユニットが、前記赤外線反射量に基づいて前記発光モジュールの明るさを制御する音楽調光器を含むことを特徴とする、請求項９に記載の赤外線ヘッドフォン装置。
【請求項１１】
前記赤外線ヘッドフォン装置がブルートゥース赤外線ヘッドフォン装置を含み、前記ブルートゥース赤外線ヘッドフォン装置が無線通信モジュールを含み、前記制御ユニットが、前記赤外線反射量に基づいて前記無線通信モジュールをオンまたはオフにするブルートゥース電力スイッチを含むことを特徴とする、請求項１に記載の赤外線ヘッドフォン装置。
【請求項１２】
前記制御ユニットが、前記赤外線反射量に基づきノイズキャンセリング信号を生成して前記スピーカー単体に送信するアクティブノイズキャンセラーを含むことを特徴とする、請求項１に記載の赤外線ヘッドフォン装置。
【考案の詳細な説明】
【技術分野】
【０００１】
本考案はヘッドフォン装置に関し、特に、赤外線ヘッドフォン装置に関する。
【背景技術】
【０００２】
科学技術の進歩に伴い、音楽の再生機能を備えた装置は早期の音響設備及び携帯型音楽プレイヤーから、徐々にノートパソコンやスマートフォンへと変化を遂げ、至る所で見受けられるようになっている。また、消費者が外部騒音の影響を受けたり、傍にいる人の邪魔になったりしないようにするためには、ヘッドフォン装置を上述の電子機器に組み合わせる必要があり、そうすることで使用者は思いのままに音楽を楽しめるようにする必要がある。
【０００３】
従来のヘッドフォン装置のミュート機能はコンピュータで制御するか、ヘッドフォン上に設置されたボタンで切り替えるようになっている。このため、使用者はヘッドフォン装置を装着しているとき、ミュート機能のボタンを直接目視することができず、手でその位置を探るか、ヘッドフォン装置全体を取り外して機能ボタンを押す必要がある。このような設計は使用者にとって操作上不便であり、使いにくい。
【０００４】
さらに、使用者が一時的にその場を離れるとき、または一時的にヘッドフォン装置を頭上から取り外すときがあるが、このときヘッドフォン装置は音をオフにしていないため動作状態が維持される。それによりヘッドフォン装置の電源が意味なく消耗してしまう。
【０００５】
このため、いかにヘッドフォン装置の構造を改善し、かつ使用者自身の使用状態を考慮でき、同時に使用上の機能と利便性を高め、顧客のニーズを満たすかが、本考案の考案者及び関連業界の技術分野に従事する者が改善に取り組んでいる課題である。
【考案の概要】
【考案が解決しようとする課題】
【０００６】
以上の問題に鑑み、本考案の目的は、赤外線反射量に基づいて自動的に赤外線ヘッドフォン装置の音をオンまたはオフにすることができる、赤外線ヘッドフォン装置を提供することにある。
【課題を解決するための手段】
【０００７】
本考案は赤外線ヘッドフォン装置を提供する。本考案の赤外線ヘッドフォン装置は、使用者の耳に装着して使用され、使用者の耳は耳輪を含み、赤外線ヘッドフォン装置は、スピーカーシェル、スピーカー単体、赤外線近接センサーモジュール、イヤーパッドを含む。スピーカーシェルは本体、凹陥部、溝部を含む。本体は、第１エリアと第２エリアを含み、第２エリアは第１エリアの周縁に位置する。凹陥部は第１エリアに位置し、凹陥部の内側面は第２エリアの表面より低い。溝部は凹陥部の内側面に位置する。スピーカー単体は第１エリアに配置され、かつスピーカー単体は溝部に隣接する。赤外線近接センサーモジュールは溝部に配置され、かつスピーカー単体に接続される。赤外線近接センサーモジュールは、制御ユニットを含む。イヤーパッドはスピーカーシェルに組み込まれる。赤外線近接センサーモジュールと耳輪の間に反射距離が存在する。制御ユニットは反射距離に基づいて赤外線反射量を生成し、赤外線反射量に基づいてスピーカー単体のオンまたはオフを駆動する。
【考案の効果】
【０００８】
上述に基づき、本考案の赤外線ヘッドフォン装置は、赤外線近接センサーモジュールで赤外線ヘッドフォン装置が使用者に装着されているか否かを検出し、赤外線反射量に基づいて赤外線ヘッドフォン装置のオンとオフを駆動するか否かを決定することで、赤外線ヘッドフォン装置の音声を自動的にオンまたはオフにすることができる。
【０００９】
以下、考案を実施するための形態において、本考案の詳細な特徴及び利点について詳細に説明する。その内容は当業者が本考案の技術内容を理解した上でそれに基づいて実施するに足るものであり、かつ本明細書に開示された内容、特許請求の範囲及び図面に基づいて、当業者は本考案の関連目的及び利点を容易に理解できるであろう。
【図面の簡単な説明】
【００１０】
【図１】本考案の実施例１の赤外線ヘッドフォン装置を使用者が装着した状態を示す概略図である。
【図２】本考案の実施例１の赤外線ヘッドフォン装置の立体図である。
【図３】本考案の実施例１のスピーカーシェルとイヤーパッドの立体図である。
【図４】本考案の実施例１の赤外線ヘッドフォン装置の立体分解図である。
【図５】本考案の実施例１の赤外線ヘッドフォン装置の別の角度の立体分解図である。
【図６】本考案の実施例１のスピーカーシェルと使用者の耳を示す概略図である。
【図７】本考案の実施例１の赤外線ヘッドフォン装置と赤外線近接センサーモジュールのブロック図である。
【図８】本考案の実施例１の赤外線ヘッドフォン装置を使用者が装着した状態を示す概略図である。
【図９】本考案の実施例１の赤外線ヘッドフォン装置を使用者が装着していない状態を示す概略図である。
【図１０】本考案の実施例２の赤外線ヘッドフォン装置と赤外線近接センサーモジュールのブロック図である。
【図１１】本考案の実施例３の赤外線ヘッドフォン装置と赤外線近接センサーモジュールのブロック図である。
【図１２】本考案の実施例４の赤外線ヘッドフォン装置と赤外線近接センサーモジュールのブロック図である。
【考案を実施するための形態】
【実施例１】
【００１１】
図１の本考案の実施例１の赤外線ヘッドフォン装置を使用者が装着した状態を示す概略図を参照する。本考案の赤外線ヘッドフォン装置１は、使用者２の耳２１に装着される。本実施例において、赤外線ヘッドフォン装置１はオーバーヘッド型赤外線ヘッドフォン装置１を例とする。他の実施例において、赤外線ヘッドフォン装置はインイヤー型ヘッドフォン装置としてもよいが、本考案はこれに限定されない。
【００１２】
図２と図３に本考案の実施例１の赤外線ヘッドフォン装置を示す。そのうち、図２は本考案の実施例１の赤外線ヘッドフォン装置の立体図であり、図３は本考案の実施例１のスピーカーシェルとイヤーパッドの立体図である。ここで、説明の利便性のため、図２と図３では図１の赤外線ヘッドフォン装置のヘッドバンド部分は省略されている。本実施例において、赤外線ヘッドフォン装置１はイヤーパッド１１、スピーカーシェル１２、スピーカー単体１３を含む。
【００１３】
イヤーパッド１１は軟質の材料から成り、かつイヤーパッド１１の外観はリング状を呈する。本実施例はイヤーパッド１１の材質を限定せず、実際の製品に応じて異なる材質を選択できる。
【００１４】
本実施例において、イヤーパッド１１は外縁部１１１と中央部１１２を含み、そのうち、外縁部１１１は中央部１１２の周縁に位置し、外縁部１１１は使用者２の耳２１に当てるために用いられる。また、外縁部１１１の表面は中央部１１２の方向に傾斜しており、外縁部１１１の外周縁が外縁部１１１の内周縁より高くなっている。この設計により、赤外線ヘッドフォン装置１を使用者２の耳２１に装着したとき、外縁部１１１の外周縁で密閉する目的が達せられるほか、外縁部１１１の外周縁と比較して、外縁部１１１の内周縁は使用者２の耳２１に貼り付かないので、使用者２が赤外線ヘッドフォン装置１をより快適に装着することができる。
【００１５】
スピーカーシェル１２はイヤーパッド１１に組み込まれる。例えば、イヤーパッド１１は軟質の材料から成るため、イヤーパッド１１はそのものの構造の柔軟性を利用してスピーカーシェル１２に結合することができるが、本考案はスピーカーシェルとイヤーパッドの組込み方法を限定しない。
【００１６】
本実施例において、スピーカーシェル１２は本体１２１、凹陥部１２２、組込み部１２３、複数の出音孔１２４を含む。本体１２１は第１エリア１２１１と第２エリア１２１２を含み、第２エリア１２１２は第１エリア１２１１の周縁に位置する。凹陥部１２２は第１エリア１２１１に配置される。組込み部１２３は第１エリア１２１１に配置される。具体的には、凹陥部１２２の内側面が第２エリア１２１２の表面より低く、つまり、凹陥部１２２の内側面は第２エリア１２１２の表面に凹陥している。
【００１７】
本実施例において、スピーカー単体１３は第１エリア１２１１の中央に配置され、それにより外縁部１１１に影響されることなく良好な音声出力効果が得られる。このほか、スピーカーシェル１２をイヤーパッド１１に組み込んだとき、外縁部１１１はスピーカー単体１３の位置を覆わず、良好な音声出力品質が確保される。
【００１８】
詳細に説明すると、スピーカー単体１３は組込み部１２３に配置される。組込み部１２３は例えばスピーカー単体１３を収容するための収容孔とすることができる。このほか、組込み部１２３の一端は環状突出部１２３１を含み、組込み部１２３の他端は凹陥部１２２に連接される。環状突出部１２３１は第２エリア１２１２の表面に突出しており、組込み部１２３は凹陥部１２２に向かって傾斜している。
【００１９】
本実施例において、出音孔１２４は組込み部１２３の周縁に配置され、スピーカー単体１３からの音声出力や音調の調整に供される。詳細には、本実施例の出音孔１２４の位置は外縁部１１１の位置に対応しておらず、例えば、出音孔１２４を凹陥部１２２に設けても、出音孔１２４を凹陥部１２２ではない位置、例えば第２エリア１２１２の表面に設けてもよい。これにより、スピーカーシェル１２をイヤーパッド１１に組み込んだとき、外縁部１１１がこれら出音孔１２４の位置を覆ってしまうことがなく、良好な音声出力品質が確保される。
【００２０】
図４と図５に本考案の実施例１の赤外線ヘッドフォン装置を示す。そのうち図４は本考案の実施例１の赤外線ヘッドフォン装置の立体分解図であり、図５は本考案の実施例１の赤外線ヘッドフォン装置の別の角度の立体分解図である。ここで、赤外線ヘッドフォン装置１の内部構造をはっきりと説明するために、図４と図５では図１の赤外線ヘッドフォン装置１のヘッドバンド部分は省略されており、かつ図５ではイヤーパッド１１の部分も省略されている。本実施例において、赤外線ヘッドフォン装置１はさらに赤外線近接センサーモジュール１４を含む。
【００２１】
スピーカーシェル１２はさらに溝部１２５を含む。本実施例において、第１エリア１２１１は組込み部１２３、凹陥部１２２、溝部１２５。溝部１２５は凹陥部１２２の内側面に配置され、かつスピーカー単体１３が溝部１２５に接する。つまり、溝部１２５は第１エリア１２１１に配置され、かつ組込み部１２３に接し、スピーカー単体１３は組込み部１２３に配置され、スピーカー単体１３が溝部１２５に接する。
【００２２】
赤外線近接センサーモジュール１４は溝部１２５に配置され、かつスピーカー単体１３に接続される。かつ、赤外線近接センサーモジュール１４の配される位置はイヤーパッド１１の外縁部１１１により遮られることがなく、赤外線近接センサーモジュール１４の良好な検出が確保される。溝部１２５の外観形状は方形を呈するが、本考案は溝部の形状を限定せず、赤外線近接センサーモジュールの形状に合わせて赤外線近接センサーモジュールを組み込むことができればよい。
【００２３】
さらに説明すると、スピーカーシェル１２はさらにＲＦ素子１２６、第１凹陥溝１２７、第２凹陥溝１２８、外環部１２９を含む。ＲＦ素子１２６、第１凹陥溝１２７、第２凹陥溝１２８はいずれも本体１２１の第１エリア１２１１に配置される。具体的に、第１凹陥溝１２７は凹陥部１２２の表面に位置し、組込み部１２３に接する。第２凹陥溝１２８は凹陥部１２２の別の表面に位置し、溝部１２５が貫通されて第１凹陥溝１２７と第２凹陥溝１２８が連通される。溝部１２５は第１凹陥溝１２７と第２凹陥溝１２８のほぼ中央に位置し、赤外線近接センサーモジュール１４が溝部１２５に配置され、かつ組込み部１２３に接する。
【００２４】
ＲＦ素子１２６は赤外線ヘッドフォン装置の無線伝送に用いられる。ＲＦ素子１２６は第１凹陥溝１２７に配置され、かつ赤外線近接センサーモジュール１４と溝部１２５を覆う。赤外線近接センサーモジュール１４の蓋体が第２凹陥溝１２８に配置される。第１凹陥溝１２７と第２凹陥溝１２８は外観の形状が略方形を呈するが、本考案は第１凹陥溝及び第２凹陥溝の形状を限定しない。
【００２５】
本実施例において、外環部１２９は第２エリア１２１２の表面周囲に凸設され、即ち、第２エリア１２１２の表面周縁から延伸されて外環部１２９が突出される。このような設計により、イヤーパッド１１はそれ自体の構造的な柔軟性を利用して外環部１２９を包み込み、イヤーパッド１１とスピーカーシェル１２を一体として組み立てることができる。
【００２６】
本実施例の赤外線ヘッドフォン装置１は、赤外線近接センサーモジュール１４と使用者２の耳２１の間の位置関係を利用して、赤外線ヘッドフォン装置１が使用者２に装着されているか否かを判断し、それに基づいて赤外線ヘッドフォン装置１のオンとオフを駆動するか否かを決定し、自動的なオンとミュートの目的を達する。以下図面に基づき例を挙げて説明する。
【００２７】
図６に本考案の実施例１のスピーカーシェルと使用者の耳の概略図を示す。同時に図５も参照する。説明する必要があるものとして、赤外線近接センサーモジュール１４と使用者２の耳２１の間の位置関係をはっきりと示すため、図６ではイヤーパッドを省略し、スピーカーシェル１２と一部その内部に設置された部材のみを示しており、かつ使用者２の耳２１の部分を破線で示している。
【００２８】
使用者２の耳２１は耳輪２１１と外耳道２１２を含む。赤外線ヘッドフォン装置１が使用者２の耳２１に装着されたとき、スピーカー単体１３の位置が外耳道２１２の位置に対応し、それにより、使用者２ははっきりとした音声を接受でき、かつ外部の雑音による干渉を受けず、赤外線ヘッドフォン装置１の音声品質が向上される。
【００２９】
さらに、赤外線ヘッドフォン装置１を使用者２の耳２１に装着したとき、溝部１２５と溝部１２５内に配置された赤外線近接センサーモジュール１４が耳輪２１１の近くに位置する。
【００３０】
詳細に説明すると、外環部１２９は第１側表面１２９１及び第１側表面１２９１と互いに相対する第２側表面１２９２を含み、そのうち、第１側表面１２９１及び第２側表面１２９２は第２エリア１２１２の表面周縁から延伸されて突出した状態に設けられる。赤外線近接センサーモジュール１４から第１側表面１２９１までの距離Ｄ１は、赤外線近接センサーモジュール１４から第２側表面１２９２までの距離Ｄ２より小さい。このような設計により、赤外線ヘッドフォン装置１を使用者２の耳２１に装着したとき、第１側表面１２９１が耳輪２１１に近くなり、第２側表面１２９２が耳輪２１１から遠くなる。このことから、溝部１２５及び溝部１２５内に配置された赤外線近接センサーモジュール１４は使用者２の耳輪２１１に近い位置に設置されることが分かる。
【００３１】
具体的に、赤外線近接センサーモジュール１４から第１側表面１２９１までの距離Ｄ１と赤外線近接センサーモジュール１４から第２側表面１２９２までの距離Ｄ２の距離比は１:３であるが、本考案はこれに限定されず、赤外線近接センサーモジュールを設置する位置が耳輪から近ければよい。つまり、使用者２が赤外線ヘッドフォン装置１を取り外すまたは装着するとき、赤外線ヘッドフォン装置１のスピーカーシェル１２が耳輪２１１の位置に接触する。これにより、本実施例は赤外線近接センサーモジュール１４を使用者２の耳輪２１１近くの位置に設置することで、赤外線近接センサーモジュール１４が検出する範囲に誤りがないよう確約し、検出精度を高めることができる。
【００３２】
以下、図面を組み合わせて赤外線近接センサーモジュール１４の作動方式について説明する。
【００３３】
図７に本考案の実施例１の赤外線ヘッドフォン装置と赤外線近接センサーモジュールの概略図を示す。同時に図６も参照する。赤外線近接センサーモジュール１４は、制御ユニット１４１を含む。赤外線近接センサーモジュール１４はスピーカー単体１３に接続される。赤外線近接センサーモジュール１４と耳輪２１１の間には反射距離Ｌが存在する。制御ユニット１４１は反射距離Ｌに基づいて赤外線反射量Ｒを生成し、赤外線反射量Ｒに基づいてスピーカー単体１３のオンまたはオフを駆動する。
【００３４】
この配置により、赤外線近接センサーモジュール１４は検出された赤外線反射量Ｒに基づいて、赤外線ヘッドフォン装置１が使用者２に装着されているか否かを判断し、かつ赤外線反射量Ｒに基づいて赤外線ヘッドフォン装置１のオンとオフを駆動するか否かを決定することができる。
【００３５】
詳細に説明すると、制御ユニット１４１はシングルチップマイクロプロセッサ(Ｓｉｎｇｌｅ  ｃｈｉｐ  ｍｉｃｒｏｐｒｏｃｅｓｓｏｒ)１４１１を含む。赤外線近接センサーモジュール１４は照射器１４２とセンサー１４３を含む。照射器１４２は赤外線光波ＲＡ１を使用者２の耳２１に照射する。センサー１４３は使用者２の耳２１に反射された後の赤外線光波ＲＡ２を受信する。シングルチップマイクロプロセッサ１４１１は使用者２の耳２１に反射された後の赤外線光波ＲＡ２に基づいて赤外線反射量Ｒを算出する。そのうち、赤外線反射量Ｒと反射距離Ｌは反比例を成す。
【００３６】
以下、図面を組み合わせて、異なる状態下における本考案の赤外線ヘッドフォン装置の赤外線反射量と反射距離間の関係を説明する。
【００３７】
図８と図９を参照する。そのうち図８は本考案の実施例１の赤外線ヘッドフォン装置が使用者に装着された状態の概略図であり、図９は本考案の実施例１の赤外線ヘッドフォン装置が使用者に装着されていない状態の概略図である。位置関係をはっきりと示すため、図８と図９ではイヤーパッドが省略されている。
【００３８】
図８に示すように、赤外線ヘッドフォン装置１が使用者２の耳２１に装着されたとき、赤外線近接センサーモジュール１４から耳輪２１１までの距離が反射距離Ｌ１である。赤外線反射量Ｒ１を第１数値とし、かつ制御ユニット１４１がスピーカー単体の音声をオンにする。
【００３９】
説明が必要な点として、図８の赤外線ヘッドフォン装置１を使用者２が装着した状態では、赤外線近接センサーモジュール１４と耳輪２１１は非常に近いが、部材間の関係をはっきりと説明するため、赤外線近接センサーモジュール１４と耳輪２１１の間の反射距離Ｌ１が拡大されている。
【００４０】
図９に示すように、赤外線ヘッドフォン装置１が使用者２の耳２１に装着されていないとき、赤外線近接センサーモジュール１４から耳輪２１１までの距離が反射距離Ｌ２であり、赤外線反射量Ｒ２を第２数値とし、かつ制御ユニット１４１がスピーカー単体１３の音声をオフにする。
【００４１】
上述の２つの使用状態において、赤外線反射量の第１数値は第２数値より大きく、反射距離Ｌ１は反射距離Ｌ２より小さい。例えば、赤外線ヘッドフォン装置１を使用者２の耳２１に装着したとき、赤外線近接センサーモジュール１４から耳輪２１１までの反射距離Ｌ１が最小値となる。このため、制御ユニット１４１がこの反射距離Ｌ１に基づいて生成する赤外線反射量Ｒ１が最大値となり、スピーカー単体１３の音声がオンになる。当然、本考案はこれに限定されず、赤外線近接センサーモジュール１４から耳輪２１１まで反射距離Ｌ１が、制御ユニット１４１によりこの反射距離Ｌ１に基づいて生成される赤外線反射量Ｒ１にスピーカー単体１３の音声をオンにするために必要な電圧を生じさせることができればよい。
【００４２】
反対に、赤外線ヘッドフォン装置１が使用者２の耳２１に装着されていないとき、赤外線近接センサーモジュール１４により検出される赤外線反射量Ｒ２が比較的低く、このとき生成される電圧が相対して低くなり、スピーカー単体１３の音声をオンにすることができず、赤外線ヘッドフォン装置１の音声を自動的にオフにする機能が達成される。これにより、使用者２が赤外線ヘッドフォン装置１を取り外した際、スピーカー単体１３の音声をオフにすることを忘れて電力が浪費されることがなく、節電の効果が達成される。
【００４３】
さらに説明すると、図８に示す赤外線ヘッドフォン装置１が使用者２の耳２１に装着された状態から図９に示す使用者２の耳２１に装着されていない状態までの過程において、反射距離Ｌは徐々に増加する。赤外線反射量Ｒと反射距離Ｌは反比例を成すため、反射距離Ｌが徐々に増加するのに伴って赤外線反射量Ｒも徐々に低下し、制御ユニット１４１も赤外線反射量Ｒの低下に伴って制御ユニット１４１の生成する電圧が徐々に低下し、スピーカー単体１３の音声も徐々に低下して最終的にスピーカー単体１３の音声をオンにできなくなり、これにより赤外線ヘッドフォン装置１の音声を自動的にオフにする機能が達成される。
【００４４】
反対に、図９に示す赤外線ヘッドフォン装置１が使用者２の耳２１に装着されていない状態から図８に示す使用者２の耳２１に装着された状態までの過程において、反射距離Ｌが徐々に短くなるのに伴って、赤外線反射量Ｒは徐々に上昇し、制御ユニット１４１は赤外線反射量Ｒの上昇に伴ってスピーカー単体１３の音声を徐々に上げる。
【００４５】
上述の設計に基づき、使用者２が赤外線ヘッドフォン装置１を取り外すまたは装着する間の過程において、スピーカー単体１３の音声を自動的にオフまたはオンにするほか、赤外線近接センサーモジュール１４と耳輪２１１の間の反射距離Ｌの大きさに伴ってスピーカー単体１３の音声を徐々に下げるまたは上げることができる。
【００４６】
このほか、図９に示すように、赤外線ヘッドフォン装置１がミュートにされた後、使用者は赤外線ヘッドフォン装置１を装着しなおすことでスピーカー単体１３を再びオンにして、正常な状態を回復させることができ、これにより使用者２が長時間赤外線ヘッドフォン装置１を装着しないことで赤外線ヘッドフォン装置１が不必要な電力を消費することを回避できる。
【００４７】
説明が必要な点として、上述の図８から図９に示す反射距離Ｌ１及び反射距離Ｌ２の長さは例を挙げるために用いためのものであり、赤外線ヘッドフォン装置の実際の操作状況に応じて決まる。
【実施例２】
【００４８】
図１０に本考案の実施例２の赤外線ヘッドフォン装置と赤外線近接センサーモジュールの概略図を示す。図１から図７に示す赤外線ヘッドフォン装置１の構造及び関連部材のほか、本実施例において、赤外線ヘッドフォン装置１はさらに発光させるために用いる発光モジュール１５を含む。かつ、実際の赤外線ヘッドフォン装置のニーズに応じて発光モジュールの設置位置を設計することができ、本考案は発光モジュールの設置位置を限定しない。
【００４９】
発光モジュール１５は制御ユニット１４１に接続される。制御ユニット１４１は赤外線反射量Ｒに基づいて発光モジュール１５のオンまたはオフを駆動する。例えば、赤外線ヘッドフォン装置１が図８に示すように使用者２の耳２１に装着されているとき、赤外線近接センサーモジュール１４から耳輪２１１までの反射距離Ｌ１は最小値となる。このため、制御ユニット１４１がこの反射距離Ｌ１に基づき生成する赤外線反射量Ｒ１は最大値となり、かつ充分な電圧を生成して発光モジュール１５をオンにすることができる。当然、本考案はこれに限定されず、赤外線近接センサーモジュール１４から耳輪２１１までの反射距離Ｌ１が、制御ユニット１４１によりこの反射距離Ｌ１に基づいて生成される赤外線反射量Ｒ１に発光モジュール１５をオンにするために必要な電圧を生じさせることができればよい。
【００５０】
反対に、図９に示すように、赤外線ヘッドフォン装置１が使用者２の耳２１に装着されていないとき、赤外線近接センサーモジュール１４から耳輪２１１までの反射距離Ｌ２は、赤外線反射量Ｒ１と比較して、このとき制御ユニット１４１によりこの反射距離Ｌ２で検出される赤外線反射量Ｒ２が比較的低く、生成される電圧も相対して低くなり、発光モジュール１５をオンにすることができず、発光モジュール１５をオフにする機能が達成される。これにより、使用者２が赤外線ヘッドフォン装置１を取り外したとき、発光モジュール１５をオフにすることを忘れて電力が浪費されることを回避でき、節電の効果が達せられる。
【００５１】
さらに、制御ユニット１４１は音楽調光器１４１２を含む。音楽調光器１４１２は赤外線反射量Ｒに基づいて発光モジュール１５の明るさを制御することができる。例えば、赤外線ヘッドフォン装置１が図８に示すように使用者２に装着されているとき、赤外線反射量Ｒ１は最大となり、制御ユニット１４１はスピーカー単体１３と発光モジュール１５をオンにする。このとき同時に、音楽調光器１４１２が発光モジュール１５の明るさを制御して、実際の使用現場の明るさに合わせることができる。当然、本考案はこれに限定されず、赤外線近接センサーモジュール１４から耳輪２１１までの反射距離Ｌ１が、制御ユニット１４１によりこの反射距離Ｌ１に基づいて生成される赤外線反射量Ｒ１に、音楽調光器１４１２をオンにして発光モジュール１５の明るさを制御させるために必要な電圧を生じさせることができればよい。
【００５２】
反対に、赤外線ヘッドフォン装置１が図９に示すように使用者２に装着されていないとき、赤外線反射量Ｒ２は比較的低くなり、制御ユニット１４１はスピーカー単体１３及び発光モジュール１５の機能をオンにする、または低下させることができず、音楽調光器１４１２は発光モジュール１５の明るさを徐々に調整し、発光モジュール１５を完全にオフにすることができる。
【実施例３】
【００５３】
図１１に本考案の実施例３の赤外線ヘッドフォン装置と赤外線近接センサーモジュールの概略図を示す。図１から図７の赤外線ヘッドフォン装置１の構造及び関連部材のほか、本実施例において、制御ユニット１４１はさらにアクティブノイズキャンセラー１４１３を含む。
【００５４】
上述のアクティブノイズキャンセラー１４１３は内部にアクティブノイズキャンセリング回路またはアクティブノイズキャンセリングチップが設置され、このアクティブノイズキャンセリング回路またはアクティブノイズキャンセリングチップは、まず環境音声信号Ｓ１を受信し、かつ内部での処理演算を経た後、周波数が同じで位相が反対のノイズキャンセリング信号Ａ１を生成し、このノイズキャンセリング信号Ａ１をスピーカー単体１３に伝送する。これにより、スピーカー単体１３は環境音声信号Ｓ１、ノイズキャンセリング信号Ａ１、音楽信号を同時に受信し、周波数が同じで位相が反対のノイズキャンセリング信号Ａ１により、環境音声信号Ｓ１中のノイズ成分を大幅に減少または除去することができる。
【００５５】
この配置において、本実施例のアクティブノイズキャンセラー１４１３は赤外線反射量Ｒに基づいてノイズキャンセリング信号Ａ１を生成し、スピーカー単体１３に伝送することができる。例えば、赤外線ヘッドフォン装置１が図８に示すように使用者２に装着されているとき、赤外線反射量Ｒ１は最大となり、アクティブノイズキャンセラー１４１３が生成するノイズキャンセリング信号Ａ１がノイズを抑制または除去することができ、使用者にノイズが比較的少ない、またはノイズがない音楽信号を提供することができる。当然、本考案はこれに限定されず、赤外線近接センサーモジュール１４から耳輪２１１までの反射距離Ｌ１が、この反射距離Ｌ１に基づいて制御ユニット１４１に生成させる赤外線反射量Ｒ１によって、アクティブノイズキャンセラー１４１３にノイズキャンセリング信号Ａ１を生成させ、ノイズを抑制または除去させることができればよい。
【００５６】
反対に、赤外線ヘッドフォン装置１が図９に示すように使用者２に装着されていないとき、赤外線反射量Ｒ２は比較的低くなり、アクティブノイズキャンセラー１４１３が生成するノイズキャンセリング信号Ａ１も相対して低くなる。これにより、使用者２が赤外線ヘッドフォン装置１を装着していないとき、アクティブノイズキャンセラー１４１３はノイズキャンセリング信号Ａ１を低下させる、または提供しなくなり、電力の浪費を回避して、節電の効果を達成することができる。
【実施例４】
【００５７】
図１２に本考案の実施例４の赤外線ヘッドフォン装置と赤外線近接センサーモジュールの概略図を示す。図１から図７の赤外線ヘッドフォン装置１の構造及び関連部材のほか、本実施例において、赤外線ヘッドフォン装置１はブルートゥース赤外線ヘッドフォン装置を含む。ブルートゥース赤外線ヘッドフォン装置の制御ユニット１４１はブルートゥース電力スイッチ１４１４を含む。
【００５８】
ブルートゥース電力スイッチ１４１４は赤外線反射量Ｒに基づき、赤外線ヘッドフォン装置１の無線通信モジュール１６をオンまたはオフにする。例えば、赤外線ヘッドフォン装置１が図８に示すように使用者２の耳２１に装着されているとき、赤外線近接センサーモジュール１４から耳輪２１１までの反射距離Ｌ１は最小値となる。このとき、制御ユニット１４１が反射距離Ｌ１に基づいて生成する赤外線反射量Ｒ１は最大値となり、ブルートゥース電力スイッチ１４１４はそれに基づいて赤外線ヘッドフォン装置１の無線通信モジュール１６をオンにし、無線通信モジュール１６でブルートゥース信号の受発信をして通話の受発信に用いることができる。当然、本考案はこれに限定されず、この反射距離Ｌ１に基づいて制御ユニット１４１に生成させる赤外線反射量Ｒ１によってブルートゥース電力スイッチ１４１４に無線通信モジュール１６をオンにさせ、無線通信モジュール１６でブルートゥース信号を受発信し、通話の受発信に用いることができればよい。
【００５９】
反対に、赤外線ヘッドフォン装置１が図９に示すように使用者２の耳２１に装着されていないときは、赤外線反射量Ｒ２が比較的低くなり、それにより、使用者２が赤外線ヘッドフォン装置１を装着していないとき、ブルートゥース電力スイッチ１４１４が赤外線ヘッドフォン装置１の無線通信モジュール１６をオフにし、電力の浪費を回避して、節電の効果を達成することができる。
【００６０】
説明が必要な点として、上述の図１０から図１２に示す発光モジュール１５、音楽調光器１４１２、アクティブノイズキャンセラー１４１３、ブルートゥース電力スイッチ１４１４は、実際のニーズに応じていずれかを選択するか、あるいは同時に上述の発光モジュール１５、音楽調光器１４１２、アクティブノイズキャンセラー１４１３、ブルートゥース電力スイッチ１４１４のモジュール及び素子を組み合わせ、使用者の使用上のニーズに対応することができる。
【００６１】
上述をまとめると、本考案の赤外線ヘッドフォン装置は、スピーカーシェルの本体を第１エリアと第２エリアに分け、溝部が第１エリアに配置され、赤外線近接センサーモジュールが溝部に設置される。この配置に基づき、赤外線近接センサーモジュールは赤外線ヘッドフォン装置と使用者の間の位置関係を検出して赤外線反射量を生成し、赤外線反射量に基づいて赤外線ヘッドフォン装置のオンとオフを駆動するか否かを決定することができる。このため、赤外線ヘッドフォン装置が使用者の耳に装着されているとき、赤外線近接センサーモジュールが検出する赤外線反射量はスピーカー単体を駆動するに足るので、赤外線ヘッドフォン装置の音声を自動的にオンにする機能を達成することができ、反対に、赤外線ヘッドフォン装置が使用者の耳に装着されていないときは、赤外線近接センサーモジュールが検出する赤外線反射量はスピーカー単体を駆動できないので、赤外線ヘッドフォン装置の音声を自動的にオフにする機能を達成することができる。
【００６２】
さらに、本考案は赤外線ヘッドフォン装置と使用者の耳の距離の違いに伴い、赤外線ヘッドフォン装置の音声を徐々に低下または上昇させることができる。このため、使用者の使用状態の違いに基づいて、赤外線ヘッドフォン装置と使用者の間の距離に差異が生じ、それにより赤外線ヘッドフォン装置の音声の状態を変化させ、使用者の使用上のニーズに対応することができる。
【００６３】
このほか、本考案の赤外線ヘッドフォン装置はさらに、発光モジュール、アクティブノイズキャンセラー、ブルートゥース電力スイッチを含み、赤外線ヘッドフォン装置にそれぞれ異なる機能を提供することができる。かつ、さらに赤外線反射量に基づいて発光モジュール、アクティブノイズキャンセラー、ブルートゥース電力スイッチをオンまたはオフにすることができる。これにより、使用者が赤外線ヘッドフォン装置を取り外したとき、上述の発光モジュール、アクティブノイズキャンセラー、ブルートゥース電力スイッチをオフにすることを忘れたために、電力を浪費することがなく、節電の効果を達成することができる。
【００６４】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００６５】
１                   赤外線ヘッドフォン装置
１１                 イヤーパッド
１１１               外縁部
１１２               中央部
１２                 スピーカーシェル
１２１               本体
１２１１             第１エリア
１２１２             第２エリア
１２２               凹陥部
１２３               組込み部
１２３１             環状突出部
１２４               出音孔
１２５               溝部
１２６               ＲＦ素子
１２７               第１凹陥溝
１２８               第２凹陥溝
１２９               外環部
１２９１             第１側表面
１２９２             第２側表面
１３                 スピーカー単体
１４                 赤外線近接センサーモジュール
１４１               制御ユニット
１４１１             シングルチップマイクロプロセッサ
１４１２             音楽調光器
１４１３             アクティブノイズキャンセラー
１４１４             ブルートゥース電力スイッチ
１４２               照射器
１４３               センサー
１５                 発光モジュール
１６                 無線通信モジュール
２                   使用者
２１                 耳
２１１               耳輪
２１２               外耳道
Ａ１                 ノイズキャンセリング信号
Ｄ１、Ｄ２           距離
Ｌ、Ｌ１、Ｌ２反射距離
Ｒ、Ｒ１、Ｒ２赤外線反射量
ＲＡ１、ＲＡ２赤外線光波
Ｓ１                 環境音声信号
【図１】
0003196968.tif 000003
【図２】
0003196968.tif 000004
【図３】
0003196968.tif 000005
【図４】
0003196968.tif 000006
【図５】
0003196968.tif 000007
【図６】
0003196968.tif 000008
【図７】
0003196968.tif 000009
【図８】
0003196968.tif 000010
【図９】
0003196968.tif 000011
【図１０】
0003196968.tif 000012
【図１１】
0003196968.tif 000013
【図１２】
0003196968.tif 000014